(57)【要約】  患者状態のグラフ表示。スマートグラフィックが、患者と関連のあるデータから、スマートグラフィックジェネレータによって作り出される。スマートグラフィックは、ある時点での種々の生理学系の状態を表示し得、グラフの携帯で、健康ケア供給者に、関心のある他の患者データを供し得る。スマートグラフィックは、最新の患者状態情報で、断続的にアップデートされ得る。スマートグラフィックはまた、健康ケア供給者に、グラフ表示に元となるデータ及びそれに関連のあるデータへの、即座の双方向性のアクセスを許し得る。
2013513851.tif 000002
【特許請求の範囲】
【請求項１】
患者状態のグラフ表示を作り出すシステムであって、当該システムは：
ネットワーク、
前記ネットワークを介してアクセス可能である、患者状態データ（ＰＳＤ）データストアであって、当該ＰＳＤデータストアは、患者状態データを含む、ＰＳＤデータストア；
前記ネットワークにアクセスできるルールエンジンであって、当該ルールエンジンは、ルールを、前記ＰＳＤデータストア内に保存されたデータ要素に適用する、ルールエンジン；
前記ルールエンジンに接続され、前記ネットワークにアクセスできる結果処理装置であって、当該結果処理装置は：前記ルールエンジンの出力を受信するステップ；前記患者の状に関連する評価測定がアップデートされるべきかどうかを、前記ルールエンジンの出力から決定するステップ；を含む操作を、当該結果処理装置に実行させるための、ソフトウェア命令で構成される、結果処理装置；
前記ＰＳＤデータストアに接続されたスマートグラフィックジェネレータであって、前記結果処理装置は：
前記結果処理装置からの決定を受信するステップ；
前記ＰＳＤデータストア内に保存された前記データ要素を受信するステップ；
スマートグラフィックを作り出すステップであって、当該スマートグラフィックは、前記ＰＳＤデータストア内に保存された前記データ要素及び前記結果処理装置の決定から決定された尺度と関連付けられた領域を含み、当該スマートグラフィックは、前記ネットワークを介してディスプレイシステムにアクセス可能である、ステップ；
を含む操作を、当該スマートグラフィックジェネレータに実行させるための、ソフトウェア命令で構成される、スマートグラフィックジェネレータ；
を含む、患者状態のグラフ表示を作り出すシステム。
【請求項２】
前記ルールエンジンは、１日２４時間１週間７日体制で、繰り返しかつ自動的に、ルールを適用する、請求項１に記載のシステム。
【請求項３】
前記ルールエンジンによって、介護人に通知を必要とするルール条件が決定されるとき、前記スマートグラフィックジェネレータは、スマートグラフィックを作り出し、介護人のディスプレイシステムに送られる、
請求項１に記載のシステム。
【請求項４】
前記介護人のディスプレイシステムは、スマートフォン、ラップトップ型コンピュータ、タブレット型コンピュータ及び卓上ディスプレイから成る群から選ばれる、請求項３に記載のシステム。
【請求項５】
前記スマートグラフィックジェネレータは、複数のユーザ定義可能な領域を含むスマートグラフィックを作り出す命令を含み、前記領域の各々は、患者の現在の状態を示す患者データ要素を表す、
請求項１に記載のシステム。
【請求項６】
前記患者の現在の状態は、名前、アドミットタイム、検査データ、温度、アドミットプログレス、ベッドの位置、腎体積、呼吸データ、心臓血管のデータ、精神状態、慢性的な健康データ、オペレーティングルームの向き、年齢及び得点から成る群から選ばれる少なくとも１つのデータ要素を含む、請求項５に記載のシステム。
【請求項７】
前記スマートグラフィックジェネレータは、サイズ、２次元形状、３次元形状、カラー、格付け及び視覚的なアクティビティから成る群から選ばれる少なくとも１つの特性を含む、前記スマートグラフィックの前記領域を作り出す命令を含む、請求項５に記載のシステム。
【請求項８】
前記スマートグラフィックジェネレータは、前記領域を、該領域に関連付けられた元となるＰＳＤにリンクさせ、かつ、ユーザ入力手段を介してセレクションコントローラで要求を受信し、リージョンキャッシュから前記元となるＰＳＤを表示する、命令を含む、
請求項５に記載のシステム。
【請求項９】
前記リージョンキャッシュは、前記スマートグラフィックの前記領域の各々に割り当てられた、前記尺度と関連付けられた情報及び前記データ要素を含む、請求項８に記載のシステム。
【請求項１０】
前記ユーザ入力手段は、キーボード、マウス、トラックボール、ボイスコマンド及びタッチスクリーンから成る群から選ばれる、請求項８に記載のシステム。
【請求項１１】
前記スマートグラフィックジェネレータは：
メモリ内に保存されたスマートグラフィックジェネレーションソフトウェアを実行するプロセッサ；
ユーザ入力手段に応答するセレクションコントローラ；及び
前記スマートグラフィックの前記領域の各々に割り当てられた前記尺度と関連付けられた属性を選択するように使用された情報及びデータ要素を含む、グラフィックリージョンキャッシュ；
を含む、請求項１に記載のシステム。
【請求項１２】
患者状態のグラフ表示を作り出す方法であって、当該方法は：
患者状態データ（ＰＳＤ）を、ネットワークに接続されたＰＳＤデータストアに格納するステップ；
前記ネットワークに接続されたルールエンジンを介して、前記ＰＳＤデータストア内に格納されたデータ要素に、ルールを適用するステップ；
結果処理装置で、前記ルールエンジンの出力を受信するステップ；
前記患者の状態に関連する評価測定がアップデートされるべきかどうかを、前記ルールエンジンの出力から決定するステップ；
前記結果処理装置からの決定を、スマートグラフィックジェネレータで受信するステップ；
前記ＰＳＤデータストア内に格納されたデータ要素を検索するステップ；
検索された前記データ要素に基づいて、スマートグラフィックを作り出すステップであって、前記スマートグラフィックは、前記ＰＳＤデータストア内に格納された前記データ要素から決定された尺度に関連付けられた領域を含む、スマートグラフィックを作り出すステップ；及び
前記ネットワークを通じて前記スマートグラフィックを表示するステップ；
を含む、患者状態のグラフ表示を作り出す方法。
【請求項１３】
１日２４時間１週間７日体制で、繰り返しかつ自動的に、前記ルールを適用するステップを更に含む、請求項１２に記載の方法。
【請求項１４】
介護人にルール条件を通知することを、前記ルール条件が要求する、ということ；
前記ＰＳＤのスマートグラフィックを作り出すこと；及び
介護人のディスプレイシステムに前記スマートグラフィックを送ること；
を、前記ルールエンジンを介して決定するステップを更に含む、
請求項１３に記載の方法。
【請求項１５】
前記介護人のディスプレイシステムは、スマートフォン、ラップトップ型コンピュータ、タブレット型コンピュータ及び卓上ディスプレイから成る群から選ばれる、請求項１４に記載の方法。
【請求項１６】
前記スマートグラフィックを作り出すステップは、複数のユーザ定義可能な領域を含むグラフィックを作り出すステップを含み、前記領域の各々は、患者の現在の状態を示す患者データ要素を表す、請求項１４に記載の方法。
【請求項１７】
前記患者の現在の状態は、名前、アドミットタイム、検査データ、温度、アドミットプログレス、ベッドの位置、腎体積、呼吸データ、心臓血管のデータ、精神状態、慢性的な健康データ、オペレーティングルームの向き、年齢及び得点から成る群から選ばれる少なくとも１つのデータ要素を含む、請求項１６に記載の方法。
【請求項１８】
前記スマートグラフィックを作り出すステップは、サイズ、２次元形状、３次元形状、カラー、格付け及び視覚的なアクティビティから成る群から選ばれる少なくとも１つの特性を含む、前記スマートグラフィックの領域を作り出すステップを含む、請求項１６に記載の方法。
【請求項１９】
前記領域を、該領域に関連付けられた元となるＰＳＤにリンクさせ、かつ、ユーザ入力手段を介してセレクションコントローラで要求を受信し、リージョンキャッシュから前記元となるＰＳＤを表示するステップを更に含む、請求項１６に記載の方法。
【請求項２０】
前記リージョンキャッシュは、前記スマートグラフィックの前記領域の各々に割り当てられた前記尺度と関連付けられた情報及び前記データ要素を含む、請求項１９に記載の方法。
【請求項２１】
前記ユーザ入力手段は、キーボード、マウス、トラックボール、ボイスコマンド及びタッチスクリーンから成る群から選ばれる、請求項１９に記載の方法。
【請求項２２】
ある期間にわたって、特定の患者の前記ＰＳＤに関連するスマートグラフィック群を生成するステップ；及び
前記介護人のディスプレイシステム上に、前記スマートグラフィック群を表示するステップ；
を更に含む、請求項１９に記載の方法。
【請求項２３】
患者母集団を表示するスマートグラフィックを生成するステップを更に含む、請求項１９に記載の方法。
【発明の詳細な説明】
【技術分野】
【０００１】
本発明は、患者状態のグラフ表示を作り出すシステム及び方法に関する。
【背景技術】
【０００２】
健康管理が、次第にコンピュータベースとなっている。患者のデータは、コンピュータデバイスによって規定通りに集められ、評価され、結果は、種々の形態で、健康管理供給者に利用可能となった。例えば、電子装置は、視覚的表示を介して健康管理供給者に、生理学的パラメータ、検査結果及び患者評価の準リアルタイム表示を提示し得る。警報システムは、１つ以上の要因に基づいて、患者の状況の変化を、健康管理供給者に警告し得る。
【０００３】
患者データを取得する電子システムの性能は、しばしば、有意義な方法でそれらのデータを処理する、健康管理供給者の能力を超える。データのオーバーロードの可能性を軽減するために、患者データの視覚的表示は、患者の現在の状態の象徴で増大し得る。例えば、警報システムは、１つ以上の要因に基づく、患者の状況における変化に対して、健康管理供給者を警告し得る。音声的キュー及び視覚的キューが、患者の状況における変化の本質（改善、悪化）及び変化の深刻度を示すために使用され得る。データは、また、患者の映像的表象を使用して表されても良く、患者データは、特定の物理系及び／又は身体機能に関連付けられ得る。
【発明の概要】
【０００４】
患者の状況の映像的表象及びグラフ表示は役に立つけれども、それらは、患者の状況の単純化された表示を供するだけである。電子の患者モニタリングシステムの可能性を完全に実現するために、患者の状態のグラフ表示が、断続的に（動的に）アップデートされるべきであり、健康管理供給者が、（双方向性の）患者の治療に関する決定を行えるように、論理的かつ直観的な方法で、元となる患者データに対する、健康管理供給者のアクセスを供するべきである。
【０００５】
ここでの実施形態は、患者の現在の状態を示す及び患者の未来の状態の予測する基準の双方向性かつ動的にアップデータされた“スマートな（ｓｍａｒｔ）”グラフィック表示を供するシステム及び方法に方向付けられる。
【０００６】
一実施形態において、スマートグラフィックが、患者と関連のあるデータから、スマートグラフィックジェネレータによって作り出される。コンピュータを用いたグラフは、ある時点で、種々の生理学系の状態を表示し得、関心のある他の患者のデータを、グラフの形態で、健康管理供給者に供し得る。スマートグラフィックは、最新の患者状態情報に、断続的にアップデートされ得る。スマートグラフィックは、また、グラフ表示の元になるデータ及びそれに関連するデータへの、即座の双方向性のアクセスを、健康管理供給者に許可し得る。
【図面の簡単な説明】
【０００７】
【図１】図１は、実施形態に係る患者ケアシステムの構成要素を説明するブロック図である。
【図２】図２は、一実施形態に係るスマートグラフィックを説明するブロック図である。
【図３】図３は、一実施形態に係るスマートグラフィックジェネレータの構成要素を説明するブロック図である。
【図４】図４は、種々の実施形態での使用に適する、コンピュータデバイスを説明する構成要素のブロック図である。
【図５】図５は、種々の実施形態での使用に適する、サーバデバイスを説明する構成要素のブロック図である。
【図６】図６は、種々の実施形態での使用に適する、ラップトップ型のデバイスを説明する構成要素のブロック図である。
【図７】図７は、種々の実施形態での使用に適する、コンピュータを説明する構成要素のブロック図である。
【発明を実施するための形態】
【０００８】
後に続く説明において、用語“患者”は、重病の患者、急性疾患の患者、特定の持病を有する患者、重傷を有する患者、不確かな診断を有する患者、及び、手術からリカバリしている患者、産科患者、具合が良い患者及び／又は他の医療手当ての患者を含み得る。
【０００９】
後に続く説明において、用語“患者データ”は、患者又は言葉の上で他から、患者又は患者に関連する他の観察によって、患者から採られたサンプルの解析から、患者の評価から、患者上で実行された治療又は医療手当てから、患者に関連する他によって採られたサンプルから、取得されるデータを包含する。説明の目的かつ、制限の目的でなく、患者データは、患者の診断、処方箋、病歴、健康状態、検査結果に関連するデータ及び他の健康に関連するデータを含んでも良い。
【００１０】
後に続く説明において、用語“モニタリングされた患者データ”は、患者に接続されたモニタリングデバイスによって、患者からの、準リアルタイムで取得されるデータ及び非リアルタイムの生理学データ、及び、ＧＭＰデータを含み得る患者位置データを包含する。
【００１１】
後に続く説明において、用語“患者状態データ”は、患者データ及びモニタリングされた患者データを含む、患者に案レンしている全てのデータを包含する。
【００１２】
後に続く説明において、用語“データ要素”は、患者の状態を評価するために使用され得る、一群のデータを包含する。
【００１３】
後に続く説明において、用語“コンピュータデバイス”は、例えば、ユーザがネットワークを介して他のデバイスに相互に作用できるよう構成され得る、未来に開発されても良い、デスクトップコンピュータ、ラップトップ型コンピュータ、モバイルデバイス及び他の処理装置を具備するデバイスを包含する。ここで使用されるような“モバイルデバイス”は、携帯電話、携帯情報端末（ＰＤＡ）及びスマートフォンを包含する。
【００１４】
後に続く説明において、“サーバ”は、コンテンツ、ウェブページ及び情報を供給するよう、ネットワークを介して他のデバイスと自動化された方法で相互に作用するよう構成され得る、コンピュータデバイスである。
【００１５】
一実施形態において、スマートグラフィックは、患者と関連するデータから、スマートグラフィックジェネレータによって作り出される。スマートグラフィックは、ある時点での種々の生理学系の状態を表示し得、グラフの形態で健康管理供給者に、関心のある他の患者のデータを供給し得る。さらに、スマートグラフィックは、患者の実際のペインスコア、鎮静スコア又は精神錯乱に関するスコアが、特定の患者に関して設定されるゴールスコアからどれくらい離れているか又は近いかを表示する（表示は、患者が所望のレベルからどれくらい多く上回っているか又は下回っているかを示すであろう）。治療に対する生理反応に加え、スマートグラフィックは、いつ特定の患者の治療が減らされていくかを表示するであろう（例えば、患者が良くなっているとき）。したがって、もし患者が、所望の目標で、継続して薬を服用しているなら、スマートグラフィックは、そのように表示するであろう。しかしながら、スマートグラフィックの一実施形態はまた、投与量が、同様に、減らされ始める必要があるとき、臨床医に警告するであろう。この例において、投与量が同じのままであるのが長ければ長いほど、スコアはより高くなり、回りまわって、臨床医宛にその状況をもたらすであろう。スマートグラフィックは、最新の患者状態情報に、断続的にアップデートされ得る。スマートグラフィックは、また、関心のある患者情報を表示しているスマートグラフィックの一部を単純に“クリックすること”により、健康管理者に、グラフ表示の元になるデータ及びそれに関連するデータへの、即座の双方向アクセスを許し得る。そのようにするときに、ユーザ表示システムに、元になるデータの表示を供するように、要求がシステムに送られる。スコアは、また、個々の患者状態に依存して、増加する又は減少するであろう。例えば、もし患者が具体的に危険にさらされているなら、患者のスコアは、通常、より高くなり、したがって、設定され得る警報の作動に敏感になるであろう。
【００１６】
図１は、実施形態に係る患者ケアシステムの構成要素を説明するブロック図である。患者ケアシステム１００は、例えば、患者モニタリングステーション“Ａ”１０５、患者モニタリングステーション“Ｂ”１１０、及び患者モニタリングステーション“Ｎ”１１５を含む、複数の患者モニタリングステーションを含む。患者モニタリングステーション１０５、１１０、１１５は、ネットワークインターフェース１４０を介してネットワーク１４５に接続する。ネットワーク１４５は、有線ネットワーク、無線ネットワーク、衛星ネットワーク、公衆交換電話網、ＩＰネットワーク、パケット交換網、携帯電話ネットワーク、ケーブルネットワーク、同軸ネットワーク、光ファイバーと同軸ケーブルのハイブリッドネットワーク（ｈｙｂｒｉｄ  ｆｉｂｅｒ  ｃｏａｘ  ｎｅｔｗｏｒｋ）であっても良い。
【００１７】
患者モニタリングステーション１０５、１１０、１１５は、単一の位置から又は種々の位置から使用されても良い。
【００１８】
単一のネットワークインターフェース１４０が説明されているが、これは、制限するものとして意図されない。患者モニタリングステーションは、（図示しない）他のいくつかのネットワークインターフェースを通じて、ネットワークインターフェースを分け合う又はネットワーク１４５にアクセスしても良い。
【００１９】
患者モニタリングステーション“Ａ”１０５、“Ｂ”１１０及び“Ｎ”１１５は、“Ｎ”の患者から、生理学的データ、音声的データ及び映像データをモニタリングする。各々の患者は、特定の患者モニタリングステーションと関連付けられる。明確さの目的のために、通常患者モニタリングシステムによって実行される、いくつかの特徴及び／又は特徴を述べるとき、この後の説明は、患者モニタリングステーション“Ａ”１０５を参照し得る。しかしながら、説明は、患者ケアシステム１００内の全ての患者モニタリングステーションに適用する。
【００２０】
一実施形態において、患者モニタリングステーションＡ１０５は、リアルタイムで患者から、生理学的データ、音声データ、映像データを取得し得る。ネットワークインターフェース１４０は、モニタリングされた生理学的データ、映像信号、音声信号の、患者状態データデータストア１６５への送信のために、ネットワーク１４５へのアクセスを供する。また、患者データデータストア１３０は、ネットワーク１４５に接続される。図示されるように、患者データストア１３０は、ネットワークインターフェース１５５を介してネットワーク１４５に接続される。しかしながら、これは、制限するものとして意味されない。患者データストア１３０の位置に基づいて、ネットワーク１４５への接続は、（図示しない）いくつかの他のネットワークインターフェースを介して為されても良い。
【００２１】
患者状態データデータストア１６５は、患者モニタリングステーション１０５、１１０及び１１５からモニタリングしているデータを受信し、また、患者データデータストア１３０から患者データを受信する。説明的であり、制限的でない目的で、患者状態データデータストアは、患者（名前、住所、結婚歴、年齢、性別、民族性、最近親者）、医療歴（病気、けが、手術、アレルギー、薬剤）病院及び／又は外来患者情報（症状、生理学的データ、入院の時、入院時介護人の所見）、治療、検査データ、検査レポート（例えば、放射線レポート、微生物学レポート）、医師の注釈、患者の診断、処方箋、病歴、健康状態、検査結果に関連するデータ及び他の健康に関連するデータ、についての個人情報に関連するデータを含み得る。
【００２２】
一実施形態において、患者データは、また、例示する目的で、医局、研究室、薬局及び医療機関を含む、患者データデータストア１３０とは別の（図示しない）ソースから受信されても良い。
【００２３】
患者状態データデータストア１６５及び患者データデータストア１３０は、別々の要素として図示されるが、これは、制限するものとして意味されない。患者状態データデータストア１６５及び患者データデータストア１３０は、ネットワーク１４５にアクセス可能な種々の記憶デバイスの間で、割り振ら得る。
【００２４】
また、ルールエンジン１６０及びスマートグラフィックジェネレータ１７０が、患者状態データデータストア１６５に接続される。
【００２５】
ルールエンジン１６０は、医学的状態及び患者の状態における変化を識別するために、特定の患者に関連付けられる、患者状態データストア１６５内に格納されたデータ要素に、ルールを適用する。一実施形態において、ルールエンジンは、複数の患者のデータ要素に、１日２４時間、１週間７日体制で、繰り返し、かつ、自動的に、ルールを適用し得る。これは、如何なる与えられた患者ルールが、ルールエンジンを動作するコンピュータの全てのクロック周期で発動されるということを暗示するよう意味されない。むしろ、ルールエンジンは、データの患者データストアへの受信に関して、絶えず警戒している。データが入ってくるとき、それは、特定の患者に関係する情報で認識される。例えば、検査結果が患者Ａに関する患者データストア内に到着するとき、ルールエンジンは、そのデータの到着に気付き、その検査結果が、患者Ａについての特定のルールに必要かどうかを決定する。もしそうでないなら、ルールエンジンによってアクションがされず、スマートグラフィックジェネレータは、アクセスされ得る患者Ａのスマートグラフィックをアップデートする。しかしながら、もし、あるルールに関して必要であるデータＩＳが、患者Ａと関係するなら、ルールエンジンは、アラーム条件が存在するかどうかを決定するために、患者Ａに関するデータ内のそのデータを使用するであろう。もしアラーム条件が存在するなら、ルールエンジンは、患者状態データストア内の、その状況に気付き、スマートグラフィックジェネレータは、患者Ａに関するスマートグラフィックをアップデートし、患者Ａと関係がある介護人へと即座に表示される及び／又は伝えられるように、優先的に、それを、ネットワークインターフェースで送るであろう。この例において、スマートグラフィックは、スマートグラフィック内に表示されている特定のデータに関して、介護人をルールベースのアラームに注意を喚起するために、視覚的にアクティブで表示されるであろう（例えば制限することなく、スマートグラフィックの点滅する部分）。
【００２６】
結果処理装置１５８は、警報が発せられるべきかどうかを決定するために、又は、患者の状態に関連する尺度がアップデートされるべきかどうかを決定するために、ルールエンジン１６０によって作り出された情報を使用する。結果処理装置１６５は、ネットワークインターフェース１５５を介してネットワーク１４５を通じてアクセス可能である。
【００２７】
スマートグラフィックジェネレータ１７０はまた、患者状態データデータストア１６５内に格納されたデータにアクセスできる。さらに、スマートグラフィックジェネレータ１７０は、ネットワーク１４５を介して結果処理装置１５８にアクセスできる。スマートグラフィックジェネレータ１７０は、ディスプレイシステム（Ａ）１８０及びディスプレイシステム（Ｎ）１９０といった、１つ以上のディスプレイシステム（時々、ここでは、“介護人（の）ディスプレイシステム”として参照される）上での表示に関して、ネットワーク１４５を介してアクセス可能である、（下記で述べられる）スマートグラフィックを作り出すために、これらのデータを、利用する。
【００２８】
ディスプレイシステム（Ａ）１８０は、ユーザ入力デバイス１８２及びネットワークインターフェースデバイス１８４を含む。ディスプレイシステム（Ｎ）１９０は、ユーザ入力デバイス１９２及びネットワークインターフェースデバイス１９４を含む。一実施形態において、介護人ディスプレイシステムは、集中治療専門医によってコンスタントに受け持たれる中央指令センターにあっても良い。別の実施形態において、ディスプレイシステムは、スマートフォン、タブレットコンピュータ、ノート型コンピュータ、ラップトップ型コンピュータ及び／又は医者といった別の介護人のオフィス又は遠くで患者をモニタリングしている職員の他の位置でのデスクトップコンピュータといった、携帯機器であり得る。
【００２９】
介護人ディスプレイは、通常、ネットワークインターフェース及び制限することなく、キーボード、マウス、トラックボール、ボイスコマンド及びタッチスクリーンといった、ある形態のユーザ入力手段を含むであろう。未来で入手可能である他の入力手段も、スマートグラフィックと情報をやりとりするときの使用を見つけるであろう。
【００３０】
図１で図示される構成要素の位置は、システムの操作に重要でない。例えば、患者データデータストア１６５、ルールエンジン１６０及びスマートグラフィックジェネレータ１７０は、同一場所に配置されても良く又はネットワーク１４５を介してアクセス可能である多くの位置に亘って分配されても良い。
【００３１】
ディスプレイシステム（Ａ）１８０及び（Ｎ）１９０の位置は、ネットワーク１４５へのアクセスに条件付けられるだけである。例えば、ディスプレイシステムは、患者状態データデータストア１６５、ルールエンジン１６０及びスマートグラフィックジェネレータ１７０のいくつか又は全てと一緒に用いられ、患者が位置付けられる医療機関で位置付けられ得る又は、患者状態データデータストア１６５、ルールエンジン１６０及びスマートグラフィックジェネレータ１７０の位置及び患者の位置から地理的に離れている医療機関内に配置される。
【００３２】
一実施形態において、患者モニタリング機能、患者状態データ評価機能及び患者ケア機能は、別々の実在物によって実行されても良い。機能は、報酬のために（ｆｏｒ  ａ  ｆｅｅ）供される区別できるサービスとして包括されても良い。
【００３３】
図２は、一実施形態に係るスマートグラフィックの要素を説明するブロック図である。
【００３４】
図２で説明されるように、スマートグラフィック２００は円形形状を有する。しかしながら、これは、制限するものとして意味されない。スマートグラフィック２００の形状は、如何なる従来の形状であっても良い。さらに、スマートグラフィックは、表示され得るデータの量及び複雑性に依存して、外見は２次元又は３次元であっても良い。
【００３５】
スマートグラフィック２００は、複数の領域を含むグラフ形状（例えば、領域２０８、２１０、２１２、２１４、２１６、２１８、２２０、２２２、２２４、２２６、２２８、２３０及び２３２）を含む。領域の数及びある領域の別の領域に対する位置は、設計上の選択である。一実施形態において、スマートグラフィック２００のレイアウトは、ユーザ定義可能である。
【００３６】
スマートグラフィック２００の領域は、患者の現在の状態を示す尺度を含んで生理学的システムに、並びに、患者を認識する及び患者の治療を評価するときに役に立ち得る他のデータフィールドに割り当てられても良い。説明的な目的のために、スマートグラフィック２００の領域は、次の尺度に割り当てられている：
【００３７】
【表１】
2013513851.tif 000003
【００３８】
説明されるように、測定された又は評価されたパラメータを表す領域（例えば、領域２１２−２１８及び２２２−２２８）は、所望の値からのパラメータ値の逸脱のレベルのインジケータと、如何なる逸脱の重大さの基準とを含む。図２で説明されるように、インジケータは、例えば、サイズ、カラー、色相及びアニメーションを含む、種々の属性の使用を通じて、逸脱のレベル及び逸脱の重大さを反映し得る。例えば、インジケータのサイズは、所望の値からのパラメータの逸脱の大きさを反映しても良く、カラーは、逸脱の医学的重大さを反映しても良い。
【００３９】
測定された又は評価されたパラメータに関して、あるパラメータの所望の値からの逸脱のレベル及びその重大さに基づいて、ポイントがパラメータに割り当てられる。一実施形態において、インジケータのサイズは、パラメータ値の所望の値からの逸脱の大きさに基づいて特定のパラメータに割り当てられたポイントの数を反映しても良く、インジケータのカラーは、逸脱の医学的重大さに基づいて、特定のパラメータに割り当てられたポイントの数を反映しても良い。上の説明は、事実上例示的である。他の条件を示す他のグラフが使用されても良く、ここで述べられた実施形態の範囲内であると熟慮される。
【００４０】
図２で図示されるように、スマートグラフィックが作り出された時点で、領域２２２内のラボ（Ｌａｂｓ）のインジケータ及び領域２２８内の腎臓／ボリュームのインジケータが、健康管理供給者にとって関心があり得る値を示す。所望の値からの逸脱の重大さの決定は、他の患者状態データ要素を考慮して、測定された値を検討するソフトウェア命令に従って、スマートグラフィックジェネレータ１７０によって実行され得る。例えば、所望の値からの逸脱の重大さは、患者の診断結果、病歴、家族の病歴、健康管理場所での時間、他のデータ要素がある中で、依存し得る。
【００４１】
説明されるように、領域２０８は、患者のアドミットタイム（ａｄｍｉｔ  ｔｉｍｅ）に割り当てられる。アドミットタイムは、患者が、治療を供している健康管理施設にどのくらい長く収容されているかの、数字で表したインジケータを、健康管理供給者に、供する。領域２３２は、患者が収容されてからの経過したことの、グラフでのインジケータを供する、アドミットプログレスに割り当てられる。
【００４２】
説明されるように、領域２１０は、トータルポイントの大きさに割り当てられる。一実施形態において、結果処理装置１５８からの結果は、スマートグラフィックジェネレータ１７０によって、他の患者状態データ要素と組み合わされ、ポイントシステムを使用した、患者の現在の状態の定量化された程度を供する。一実施形態において、領域２１０に割り当てられたポイントの大きさは、スマートグラフィック２００の他の領域のパラメータの各々に割り当てられたポイントに基づいた、混成の“スコア”である。領域２１２―２１８及び２２２−２２８に割り当てられた説明的な大きさを使用して、トータルポイントの大きさは、グラフィックジェネレータ１７０によって＋１２に定められる。
【００４３】
スマートグラフィック２００は、ある時点での患者の状態を反映する。スマートグラフィック２００は、患者状態データデータストア１６５によって取得されたデータ要素から、動的に作り出される。以前に述べられたように、患者ケアシステム１００は、患者ケアシステム１００の管理の下、患者に関して確立されたルールの要件に従って、複数の患者の状況を“断続的に”モニタリングし得る。この文脈内での“断続的に”とは、レディー状態で、モニタリングされた患者からのデータを受信し、患者特異的なルールを、そのルールの要件に従って適用することである。各々のルールは、例えば、その特定の患者に関するデータが、予定された方式で、新しいデータが到着する各々の時間で、又は、患者状態データの以前の評価に依存する条件に基づいて、評価されるということを要求しても良い。したがって、患者ケアシステム１００は、たとえ、システムが、如何なる特定の患者に関して、具体的なある瞬間でデータを処理する必要がないとしても、断続的に作動するよう特徴付けられ得る。同様に、スマートグラフィックジェネレータ１７０もまた、最新の患者状態データを反映するよう、“断続的に”又は“動的に”作動するよう特徴付けられ得る。
【００４４】
一実施形態において、スマートグラフィック２００は、リンクを有して生成されても良い。リンクにより、健康管理供給者は、特定の領域と関係がある尺度に関連する患者状態データを得るために、リンクを選択することによって、患者ケアシステム１００と情報をやり取りすることができる。リンクは、健康管理供給者が、所望の情報へと合理的に検索できるように、追加的なリンクを供しても良い。例えば、あるリンクは、特定の領域と関係がある尺度に割り当てられたポイントを決定するために使用された患者状態データへのアクセスを、健康管理供給者に供し得、さらに、他のリンクによって、健康管理供給者は、特定の尺度に割り当てられた、具体的な逸脱のスコア及び／又は重大さのスコアに到達するために使用された計算結果の詳細な説明への検索が許され得る。さらに、関心のあるグラフ領域は拡大され、それによって、介護者が最初に見たようなグラフの表示に寄与する、次第により正確かつ種々のタイプのデータを見せ得る。種々の患者データ及び状況のグラフ表示に加えて、グラフ自身は、例えば、患者に関するルールが要求するときに、グラフの特定の領域の点滅している表示及び表示され得る警告を意味する、“アクティブ”になり得る。
【００４５】
図３は、一実施形態に係るスマートグラフィックジェネレータの構成要素を説明するブロック図である。
【００４６】
一実施形態において、スマートグラフィックジェネレータは、処理装置１７２を含む。処理装置１７２は、処理装置１７２によってアクセスされ得る、メモリ１８０内に格納された、スマートジェネレーションソフトウェア１８２を実行する。一実施形態において、スマートグラフィックジェネレーションソフトウェア１８２は、ネットワークインターフェース１５５を介してネットワーク１４５を通じて、ロードされ得る及び／又はアップデートされ得る。
【００４７】
スマートグラフィックジェネレーションソフトウェア１８２は、処理装置１７２が、患者状態データデータストア１６５内に格納された患者状態データ及びルールエンジン１６０のオペレーションに基づいて結果処理装置１５８によって供された結果の要素で、オペレーションを実行できる、命令を含む。例えば、ソフトウェア命令によって、処理装置１７２は、スマートグラフィック２００のある領域と関係がある各々の尺度に関して、インジケータの属性（ａｔｔｒｉｂｕｔｅｓ）を決定し得る。前述されたように、尺度の属性は、パラメータ値の、所望の値からの逸脱のレベルを反映するよう、かつ、如何なるそのような逸脱の医学的重大さの大きさを反映するよう選択され得る。図２で説明されたように、インジケータは、例えば、サイズ、カラー、色相及びアニメーションを含む、種々の属性の使用を通じて、逸脱のレベル及び逸脱の重大さを反映し得る。例えば、インジケータサイズは、所望の値からのパラメータの逸脱の大きさを反映しても良く、カラーは、逸脱の医学的重大さを反映しても良い。
【００４８】
スマートグラフィックジェネレーションソフトウェア１８２は更に、処理装置１７２に、パラメータの所望の値からの逸脱のレベル及びその重大さに基づいて、測定された又は評価されたパメラー他にポイントを割り当てることを許可する命令を含んでも良い。この実施形態において、スマートグラフィックジェネレーションソフトウェア１８２は、重み付けアルゴリズムを、患者状態データデータストア１６５及び結果処理装置１５８から取得されたデータ要素に適用し、逸脱の重大さを決定する。スマートグラフィックジェネレーションソフトウェア１８２によって、特定のデータ要素又はデータ要素の群に割り当てられた重みは、患者の状況の“事情（ｃｏｎｔｅｘｔ）”に依存し得る。例えば、所望の値からの逸脱の重大さは、患者の診断結果、病歴、家族の病歴、健康管理場所での時間、他のデータ要素がある中で、依存し得る。
【００４９】
処理装置１７２の出力は、イメージジェネレータ１７８によって受信される。イメージジェネレータは、例えば、ディスプレイシステム（Ａ）１８０及び（Ｎ）１９０といった、ディスプレイシステムによる表示に関して、ネットワーク１４５を介してアクセス可能である、スマートグラフィック２００を作り出す。ここで使用されるような、用語“アクセス可能”は、パッシブだけであるよう意味されない。一実施形態において、スマートグラフィックは、あるアラーム状態の事象中に、スマートグラフィックを見る必要がある人に“転送される（ｐｕｓｈｅｄ）”。そのような例において、患者に関して情報を必要とすると記載される人に、アラーム状態を含むスマートグラフィックが自動的に送られるであろう。しかしながら、従来のページャーシステムとは違って、介護人は、スマートグラフィック内に描かれた全ての情報にアクセスし、スマートグラフィックの如何なる特定の部分内に描かれる、元となる患者データを精査するために、スマートグラフィック内のリンクを作動させることができる。スマートフォンの現世代及び次世代のパワーを使用して、スマートグラフィックが、介護者の位置に関わらず、拡大及び交信され得る。スマートグラフィックはまた、介護者が、介護者の階級に適切な患者のデータを見ることができ得るように、内蔵されたアクセス許可を有して、供給されるであろう。例えば、ナースは、スマートグラフィックを見ることができ得るが、患者治療に関する命令を作ることができないであろう。逆に、治療医師は、そのようなアクセス許可を有し、命令の生成が、医者がグラフを使って利用可能なそのようなオプションを有して、許可されるであろう。
【００５０】
一実施形態において、スマートグラフィックジェネレータ１７０は更に、セレクションコントローラ１７４及びグラフィックリージョンキャッシュ１７６を含む。セレクションコントローラは、ユーザ入力デバイス構成要素（ディスプレイシステム（Ａ）１８０の要素１８２及びディスプレイシステム（Ｎ）１９０の要素１９２）によって発生したユーザ入力信号に対して応答性である。セレクションコントローラ１７４は、ユーザ入力信号を、特定のリンクの選択に移す（ｍａｐｓ）。リンクの選択は、グラフィックリージョンキャッシュ１７６内に保持されたデータ及び情報に対するユーザアクセスを供する。グラフィックリージョンキャッシュ１７６は、スマートグラフィック２００の領域の各々に割り当てられた基準と関連する属性を選択するために使用されたデータ要素及び情報を含む。
【００５１】
一実施形態において、グラフィックリージョンキャッシュ１７６は、アップデートされたスマートグラフィック２００が作り出されるときに、上書きされる。一実施形態において、グラフィックリージョンキャッシュをユーザが見ているとき、キャッシュの上書きが一時中断される。如何なるアップデートされたデータは、テンポラリーな記憶場所に書き出され、ユーザが見ているスマートグラフィック２００に戻るときに、キャッシュに書き出されるだけである。
【００５２】
別の実施形態において、例えば、ディスプレイシステム（Ａ）１８０及び（Ｎ）１９０といった、ディスプレイシステムの数は、スマートグラフィック２００に同時にアクセスし得る。この実施形態において、如何なる数のユーザが、スマートグラフィック２００の種々の領域と関連付けられたリンクと情報をやりとりし得るということが、見込まれる。この実施形態において、ユーザが、ある領域と関連付けられたリンクにアクセスするとき、グラフィックリージョンキャッシュは、そのユーザに関するセッション及びスマートグラフィック２００のその事例に関するグラフィックリージョンキャッシュ１７６を開設する。したがって、各々のユーザは、スマートグラフィック２００についての、独立しているがリアルタイムの表示を有する。スマートグラフィック２００についての、特定のユーザの表示は、スマートグラフィック２００での別の表示の相互作用によって、影響されない。さらに、ユーザがスマートグラフィック２００とやりとりするとき、スマートグラフィックの状態は、メモリ内に格納され、スマートグラフィック２００の特定の事例を作り出すために使用された、内在しているデータ内の変化が影響を及ぼさない、相互作用的なセッションの間、維持され得る。この方法で、あるユーザは、別のユーザが、スマートグラフィック２００の以前の事例を作りだすために使用されたデータを検索している（ｎａｖｉｇａｔｉｎｇ）間、スマートグラフィック２００の現在の事例を見ることができる。一実施形態において、スマートグラフィック２００の以前の事例を検索しているユーザは、データがアップデートされたことを助言され得、スマートグラフィック２００のアップデータされた事例を見る機会が提供され得る。
【００５３】
一実施形態において、スマートグラフィック２００の領域に割り当てられた生理学系は、時間に亘って変更し得る。この実施形態において、スマートグラフィック２００の円形の描写は、更なる領域及び更なる患者情報を公開するために、周期的に回転する球体として視覚化され得る。一実施形態において、所望の値から大きく逸脱するパラメータ値を有する、生理学系に割り当てられた領域は、スマートグラフィックの球体の明らかな回転をよそに、表示されたままである。
【００５４】
スマートグラフィックは、円形又は球体の形状に制限されない。本明細書での図面は、実際は、例示的なだけである。さらに、本明細書で、スマートグラフィックを、特定の健康管理状況に、制限することを意味されない。例えば、スマートグラフィックは、健康管理の専門家によって、１日２４時間１週間７日体制で（２４／７  ｂａｓｉｓ）、常に受け持たれる、一例であり制限することなく、コマンドセンター内で、患者から離れて使用され、それによって、如何なる特定の患者（又は患者のグループ）と関連付けられたスマートグラフィックが、患者が治療を受けている又はモニタリングされている全ての時間でアクセス可能であるということを保証し得る。さらに、如何なる特定の患者に関するルールを始動するとき、上述されたように、表示されているデータに基づいて、高められた優先度で、アクションが取られ得るように、スマートグラフィックは、介護人に転送され、優先的に表示され得る。
【００５５】
如何なる所定の患者に関する、現在のスマートグラフィックの表示に加え、一実施形態において、スマートグラフィックは、過去における時間での如何なる所望の時点での患者の状態を示すために、アドホックな方法で、作り出され得る。したがって、介護人は、時間Ａでのスマートグラフィックを、患者に関する現在のスマートグラフィックと比較することができる。あるいは、時間Ａに関するスマートグラフィックを、同様に過去である、時間Ｂに関するスマートグラフィックと比較することができる。さらに、スマートグラフィックジェネレータは、介護人のために、連続のスマートグラフィックを生成することができ、介護人は、如何なる特定の患者と関連付けられる、時間に亘る、一連の絶え間なく変わるスマートグラフィックを再調査することによって、時間に亘る、患者の経過を再調査することができる。さらに、患者データストアは、同様な境遇にある患者の集団に関する、平均的な又は他の一般的なスマートグラフィックを含む、スマートグラフィックを表示することによって、患者の集団に関連した、解析目的のために使用することができる。
【００５６】
前述の方法の記載及びプロセスフロー図は、単に説明的な例として供され、種々の実施形態のステップが、示された順序で実行されなければならないということを、必要とする又は暗示するよう意図されない。さらに、“それ以来”、“その後”、“次に”などといった単語は、ステップの順番を制限するよう意図されない；これらの単語は、単純に、方法の説明を読み手に誘導するために使用される。
【００５７】
種々の実施形態で使用に適する典型的なコンピュータデバイスは、一般に、図４で示される構成要素を有するであろう。例えば、例示的なコンピュータデバイス１０２０は、内部メモリ１００２、ディスプレイ１００３及びＳＩＭ１００９又は同様のリムーバブルなメモリユニットに接続された、プロセッサ１００１を含み得る。さらに、コンピュータデバイス１０２０は、プロセッサ１００１に接続された、ワイヤレスデータリンク及び／又は携帯電話送受信機１００５に接続される、電磁放射線を送信及び受信するアンテナ１００４を有し得る。ある実施において、送受信機１００５及びプロセッサ１００１の一部及び携帯電話回線のために使用されるメモリ１００２は、空気界面として集合的に参照される。それは、ワイヤレスデータリンクを介してデータインターフェースを供するので。コンピュータデバイスはまた、通常、ユーザ入力を受信するための、キーパッド１００６又は小型キーボード及びメニュー選択ボタン又はロッカスイッチ１００７を含む。コンピュータデバイス１０２０はまた、コンピュータデバイス１０２０の位置座標を決定するために使用される、プロセッサに接続されたＧＰＳナビゲーションデバイス１０００を含んでも良い。
【００５８】
プロセッサ１００１は、如何なるプログラム可能なマイクロプロセッサ、マイクロコンピュータ又はマルチプロセッサチップ又は本明細書で述べられた種々の実施形態の機能を含む、種々の機能を実行するための、ソフトウェア命令（アプリケーション）によって構成され得る、チップであっても良い。あるコンピュータデバイスにおいて、無線通信機能に割り当てられた１つのプロセッサ及び作動している他のアプリケーションに割り当てられた１つのプロセッサといった、マルチプロセッサ１００１が供されても良い。通常、ソフトウェアアプリケーションは、それがプロセッサ１００１へとアクセスされ、ロードされる前に、内部メモリ１００２内に保存され得る。あるコンピュータデバイスにおいて、プロセッサ１００１は、アプリケーションソフトウェア命令を保存するに十分な内部メモリを含み得る。プロセッサの内部メモリは、ユーザ又はアプリケーションが直接アクセス可能でなく、種々の実施形態で述べられたような、ＭＤＩＮｓ及びＳＩＭ  ＩＤｓを記録することができる、セキュアメモリ１００８を含み得る。プロセッサの一部として、そのようなセキュアメモリ１００８は、プロセッサにダメージを与える又はプロセッサを取り替えることなく、交換又はアクセスされないかもしれない。あるコンピュータデバイスにおいて、追加的なメモリチップ（例えば、セキュアデータ（ＳＤ）カード）が、デバイス１０２に差し込まれ、プロセッサ１００１に接続され得る。多くのコンピュータデバイスにおいて、内部メモリ１００２は、揮発性メモリ又はフラッシュメモリといった不揮発性メモリ又はそれら両方の混合であり得る。この説明の目的のために、メモリへの一般的な参照は、内部メモリ１００２、コンピュータデバイスへと差し込まれた着脱式メモリ、セキュアメモリ１００８を含むプロセッサ１００１自身内のメモリを含む、プロセッサ１００１によってアクセス可能である全てのメモリを参照する。
【００５９】
上述された多くの実施形態はまた、図５で説明されるサーバ１１００のような、如何なる種々のリモートサーバデバイスで実施されても良い。そのようなサーバ１１００は、通常、揮発性メモリ１１０２及びディスクドライブ１１０３といった、大容量不揮発性メモリに接続されたプロセッサ１１０１を含む。サーバ１１００はまた、プロセッサ１１０１に接続された、フロッピー（登録商標）ディスクドライブ及び／又はコンパクトディスク（ＣＤ）ドライブ１１０６を含んでも良い。サーバ１１００はまた、インターネットのようなネットワーク回路１１０５とのデータ接続を確立するための、プロセッサ１１０１に接続された、ネットワークアクセスポート１１０４を含んでも良い。
【００６０】
上述された多くの様態はまた、図６で説明されるノート型コンピュータ１２００といった、如何なる種々のコンピュータデバイスで実施されても良い。そのようなノート型コンピュータ１２００は通常、揮発性メモリ１２６２及びディスクドライブ１２６３といった大容量不揮発性メモリに接続された、プロセッサ１２６１を収容する、ハウジング１２６６を含む。コンピュータ１２００はまた、プロセッサ１２６１に接続された、フロッピー（登録商標）ディスクドライブ１２６４及びコンパクトディスク（ＣＤ）ドライブ１２６５を含んでも良い。コンピュータハウジング１２６６はまた、通常、タッチパッド１２６７、キーボード１２６８及びディスプレイ１２６９を含む。
【００６１】
上述された実施形態はまた、図７で説明されるパーソナルコンピュータ１３００といった、如何なる種々のコンピュータ上で実施されても良い。そのようなパーソナルコンピュータ１３００は、通常、揮発性メモリ１３０２及びディスクドライブ１３０３のような大容量不揮発性メモリに接続される、プロセッサ１３０１を含む。コンピュータ１３００はまた、プロセッサ１３０１に接続される、フロッピー（登録商標）ディスクドライブ１３０４及びコンパクトディスク（ＣＤ）ドライブ１３０５を含んでも良い。通常、コンピュータ１３００はまた、マウス１３０７のようなポインティングデバイス、キーボード１３０８といったユーザ入力デバイス及びディスプレイ１３０８を含むであろう。コンピュータ１３００はまた、検査されているプログラム可能なデバイスといった、外部デバイスへのデータ接続を確立するために、プロセッサ１３０１に接続される、ＵＳＢ又はＦｉｒｅＷｉｒｅ（登録商標）のような、多くのネットワーク接続回路１３０６を含んでも良い。ノート型パソコンの構成において、コンピュータのハウジングは、コンピュータ分野で良く知られているような、ポインティングデバイス１３０７、キーボード１３０８及びディスプレイ１３０９を含む。
【００６２】
前述の方法の記載及びプロセスフロー図は、単に説明的な例として供され、種々の実施形態のブロックが、示された順序で実行されなければならないということを、必要とする又は暗示するよう意図されない。当業者によって理解されるであろうように、前述の実施形態中でのブロックの順序は、如何なる順番で実行されても良い。  “それ以来”、“その後”、“次に”などといった単語は、ブロックの順番を制限するよう意図されない；これらの単語は、単純に、方法の説明を読み手に誘導するために使用される。さらに、例えば、冠詞“ａ”、“ａｎ”又は“ｔｈｅ”を使用する、単数での特許請求の範囲の要素に対する如何なる参照は、その要素を単数に制限するよう解釈されるべきでない。
【００６３】
本明細書で開示された実施形態に関連して述べられた、種々の説明的な論理ブロック、モジュール、回路及びアルゴリズムステップは、電子機器、コンピュータソフトウェア又はその両方の組み合わせとして実施されても良い。ハードウェア及びソフトウェアのこの互換性を明確に説明するために、種々の説明的な構成要素、ブロック、モジュール、回路及びステップが、それらの機能性の観点から、大まかに上で述べられてきた。そのような機能性が、ハードウェア又はソフトウェアとして実施されるかどうかは、全体のシステム上で与えられる、特定のアプリケーション及び設計制約に依存する。当業者は、各々の特定のアプリケーションに関して、様々な方法で、述べられた機能性を実施し得るが、そのような実施の決定は、本発明の範囲からの逸脱を引き起こすように、解釈されるべきでない。
【００６４】
本明細書で開示された様態と関連して述べられた、種々の説明的な論理回路、論理ブロック、モジュール及び回路を実施するために使用されたハードウェアは、一般的な目的のプロセッサ、デジタルシグナルプロセッサ（ＤＳＰ）、特定用途向け集積回路（ＡＳＩＣ）、フィールプログラマブルゲートアレイ（ＦＰＧＡ）又は他のプログラム可能な論理デバイス、離散型ゲート又はトランジスタ論理回路、離散型ハードウェア構成要素、又は本明細書で述べられた機能を実行するために設計された、それらの如何なる組み合わせで、実施又は実行され得る。汎用プロセッサは、マイクロプロセッサであっても良いが、その代替で、プロセッサは、如何なる従来のプロセッサ、コントローラ、マイクロコントローラ又は状態機械であっても良い。プロセッサはまた、例えば、ＤＳＰ及びマイクロプロセッサの組み合わせ、複数のマイクロプロセッサ、ＤＳＰコアと連結した１つ以上のマイクロプロセッサ、又は如何なる他の構成である、コンピュータデバイスの組み合わせとして実施されても良い。あるいは、いくつかのブロック又は方法は、所定の機能に対して固有である電気回路によって、実行されても良い。
【００６５】
１つ以上の例示的な様態において、述べられた機能は、ハードウェア、ソフトウェア、ファームウェア又はそれらの如何なる組み合わせで実施されても良い。もしソフトウェアで実施されるなら、機能は、コンピュータ可読媒体上に保存される又はコンピュータ可読媒体上の１つ以上の命令又はコードとして伝送され得る。本明細書で開示された方法又はアルゴリズムのブロックは、コンピュータ可読媒体上に存在し得る、実行された、プロセッサ実行可能なソフトウェアモジュール内に組み込まれても良い。コンピュータ可読媒体は、ある場所から別の場所へとコンピュータプログラムの伝送を容易にする如何なる媒体を含む、通信媒体及びコンピュータストレージ媒体の両方を含む。ストレージ媒体は、コンピュータによってアクセスされ得る、如何なる利用可能な媒体であっても良い。例示であり制限でない目的で、そのようなコンピュータ可読媒体は、ＲＡＭ、ＲＯＭ、ＥＥＰＲＯＭ、ＣＯ−ＲＯＭ又は他の光学ディスク記憶装置、磁気ディスク記憶装置又は他の磁気記憶デバイス、又は所望のプログラムコードを、命令又はデータ構造の携帯で伝える又は記憶するために使用され得、コンピュータによってアクセスされ得る、如何なる他の媒体を含んでも良い。また、如何なる接続が、適切に、コンピュータ可読媒体と名付けられる。例えば、もしソフトウェアが、同軸ケーブル、光ファイバーケーブル、ツイストペア、デジタル加入者回線（ＤＳＬ）又は、赤外線、無線及びマイクロ波といった無線技術を使用して、ウェブサイト、サーバ又は他のリモートソースから送信されるなら、そのとき、同軸ケーブル、光ファイバーケーブル、ツイストペア、デジタル加入者回線（ＤＳＬ）又は、赤外線、無線及びマイクロ波といった無線技術が、媒体の定義中に含まれる。本明細書で使用されるような、磁気ディスク（ｄｉｓｋ）及びディスク（ｄｉｓｃ）は、コンパクトディスク（ＣＤ）、レーザーディスク（登録商標）、光学ディスク、デジタル多用途ディスク（ＤＶＤ）、フロッピー（登録商標）ディスク、ブルーレイディスクを含み、磁気ディスクは通常、データを磁気的に再生し、一方で、ディスクは、レーザーで光学的にデータを再生する。上述の組み合わせもまた、コンピュータ可読媒体の範囲内に含まれるべきである。さらに、方法またはアルゴリズムの作動は、コンピュータプログラム製品内に組み込まれ得る、機械可読媒体及び／又はコンピュータ可読媒体上のコード及び／又は命令の１つ又は如何なる組み合わせ又はセットとして存在し得る。
【００６６】
開示された実施形態の前述の説明は、如何なる当業者が、本発明を作る又は使用することを可能にするよう供される。これらの実施形態の種々の変形は、当業者にとって容易に明らかであり、本明細書で定義された全体的な原理は、本発明の範囲から逸脱することなく、他の実施形態に適用され得るであろう。したがって、本発明は、本明細書で示された実施形態に制限されるよう意図されず、この後の特許請求の範囲、本明細書で開示された原理及び新規な特徴と一致する、最も広い範囲に一致するよう意図される。
【図１】
2013513851.tif 000004
【図２】
2013513851.tif 000005
【図３】
2013513851.tif 000006
【図４】
2013513851.tif 000007
【図５】
2013513851.tif 000008
【図６】
2013513851.tif 000009
【図７】
2013513851.tif 000010
【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
患者状態のグラフ表示を作り出すシステムであって、当該システムは：
ネットワーク、
前記ネットワークを介してアクセス可能である、患者状態データ（ＰＳＤ）データストアであって、当該ＰＳＤデータストアは、患者状態データを含む、ＰＳＤデータストア；
前記ネットワークにアクセスできるルールエンジンであって、当該ルールエンジンは、ルールを、前記ＰＳＤデータストア内に保存されたデータ要素に適用する、ルールエンジン；
前記ルールエンジンに接続され、前記ネットワークにアクセスできる結果処理装置であって、当該結果処理装置は：前記ルールエンジンの出力を受信するステップ；前記患者の状に関連する評価測定がアップデートされるべきかどうかを、前記ルールエンジンの出力から決定するステップ；を含む操作を、当該結果処理装置に実行させるための、ソフトウェア命令で構成される、結果処理装置；
前記ＰＳＤデータストアに接続されたスマートグラフィックジェネレータであって、前記結果処理装置は：
前記結果処理装置からの決定を受信するステップ；
前記ＰＳＤデータストア内に保存された前記データ要素を受信するステップ；
スマートグラフィックを作り出すステップであって、当該スマートグラフィックは、前記ＰＳＤデータストア内に保存された前記データ要素及び前記結果処理装置の決定から決定された尺度と関連付けられた領域及びインジケータを含み、当該スマートグラフィックは、前記ネットワークを介して介護人のディスプレイシステムにアクセス可能であり、前記インジケータの各々は、前記データ要素のグラフ表示である、ステップ；
を含む操作を、当該スマートグラフィックジェネレータに実行させるための、ソフトウェア命令で構成される、スマートグラフィックジェネレータ；
を含む、患者状態のグラフ表示を作り出すシステム。
【請求項２】
前記ルールエンジンは、１日２４時間１週間７日体制で、繰り返しかつ自動的に、ルールを適用する、請求項１に記載のシステム。
【請求項３】
前記ルールエンジンによって、介護人に通知を必要とするルール条件が決定されるとき、前記スマートグラフィックジェネレータは、スマートグラフィックを作り出し、介護人のディスプレイシステムに送られる、
請求項１に記載のシステム。
【請求項４】
前記介護人のディスプレイシステムは、スマートフォン、ラップトップ型コンピュータ、タブレット型コンピュータ及び卓上ディスプレイから成る群から選ばれる、請求項３に記載のシステム。
【請求項５】
前記スマートグラフィックジェネレータは、複数のユーザ定義可能な領域及びインジケータを含むスマートグラフィックを作り出す命令を含み、各々の前記領域及び前記インジケータは、患者の現在の状態を示す患者データ要素を表す、
請求項１に記載のシステム。
【請求項６】
前記患者の現在の状態は、名前、アドミットタイム、検査データ、温度、アドミットプログレス、ベッドの位置、腎体積、呼吸データ、心臓血管のデータ、精神状態、慢性的な健康データ、オペレーティングルームの向き、年齢及び得点から成る群から選ばれる少なくとも１つのデータ要素を含む、請求項５に記載のシステム。
【請求項７】
前記スマートグラフィックジェネレータは、サイズ、２次元形状、３次元形状、カラー、格付け及び視覚的なアクティビティから成る群から選ばれる少なくとも１つの特性を含む、前記スマートグラフィックの前記領域及び前記インジケータを作り出す命令を含む、請求項５に記載のシステム。
【請求項８】
前記スマートグラフィックジェネレータは、前記領域及び前記インジケータを、該領域及び該インジケータに関連付けられた元となるＰＳＤにリンクさせ、かつ、ユーザ入力手段を介してセレクションコントローラで要求を受信し、リージョンキャッシュから前記元となるＰＳＤを表示する、命令を含む、
請求項５に記載のシステム。
【請求項９】
前記リージョンキャッシュは、前記スマートグラフィックの、各々の前記領域及び前記インジケータに割り当てられた、前記尺度と関連付けられた情報及び前記データ要素を含む、請求項８に記載のシステム。
【請求項１０】
前記ユーザ入力手段は、キーボード、マウス、トラックボール、ボイスコマンド及びタッチスクリーンから成る群から選ばれる、請求項８に記載のシステム。
【請求項１１】
前記スマートグラフィックジェネレータは：
メモリ内に保存されたスマートグラフィックジェネレーションソフトウェアを実行するプロセッサ；
ユーザ入力手段に応答するセレクションコントローラ；及び
前記スマートグラフィックの前記領域及び前記インジケータの各々に割り当てられた前記尺度と関連付けられた属性を選択するように使用された情報及びデータ要素を含む、グラフィックリージョンキャッシュ；
を含む、請求項１に記載のシステム。
【国際調査報告】
2013513851.tif 000011
2013513851.tif 000012